(57)【要約】【課題】デジタルサイネージ装置における買い物の利便性を向上させる。【解決手段】販売対象の商品を表した商品画像を表示部に表示する情報表示装置であって、料理に用いる食材が示されたレシピ情報を外部装置から受信する受信手段と、前記レシピ情報に示された前記食材に対応する商品の前記商品画像を前記表示部に選択可能に表示させる表示制御手段と、前記表示部に表示された前記商品画像の選択を受け付け、選択された前記商品画像の商品を購入対象に設定する設定手段と、を備える。【選択図】図８
2014206812.tif 000002
【特許請求の範囲】
【請求項１】
販売対象の商品を表した商品画像を表示部に表示する情報表示装置であって、
料理に用いる食材が示されたレシピ情報を外部装置から受信する受信手段と、
前記レシピ情報に示された前記食材に対応する商品の前記商品画像を前記表示部に選択可能に表示させる表示制御手段と、
前記表示部に表示された前記商品画像の選択を受け付け、選択された前記商品画像の商品を購入対象に設定する設定手段と、
を備える情報表示装置。
【請求項２】
前記表示制御手段は、前記受信手段が受信した前記レシピ情報の各々が示す料理を選択可能な選択画面を前記表示部に表示させ、当該選択画面から選択された料理の前記レシピ情報に示された前記食材に対応する商品の前記商品画像を前記表示部に選択可能に表示させる請求項１に記載の情報表示装置。
【請求項３】
前記表示制御手段は、前記料理の対象人数を入力可能な入力画面を前記表示部に表示させ、当該入力画面に入力された対象人数に応じた前記食材の分量と、当該食品に対応する商品の分量とを比較可能に前記表示部に表示させる請求項１又は２に記載の情報表示装置。
【請求項４】
前記表示制御手段は、前記食材に対応する商品の前記商品画像と、当該商品に関係する他の商品の前記商品画像とを同一画面内に表示させるとともに、前記食材に対応する商品の前記商品画像を強調表示する請求項１〜３の何れか一項に記載の情報表示装置。
【請求項５】
前記表示制御手段は、前記食材に対応する各商品の前記商品画像を同一画面内に表示させる請求項１〜３の何れか一項に記載の情報表示装置。
【請求項６】
情報表示装置を制御するコンピュータを、
料理を作成する手順が示された手順書を受信する受信手段と、
前記受信手段が受信した手順書の内容を表示する表示手段と、
前記表示手段に表示された手順書の内容から、何れかを選択を受付ける受付手段と、
前記受付手段によって選択された手順書から必要な商品を読み取って表示させる表示制御部と、
して機能させるためのプログラム。
【発明の詳細な説明】
【技術分野】
【０００１】
本発明の実施形態は、情報表示装置及びプログラムに関する。
【背景技術】
【０００２】
広告、イベント、お知らせ等のコンテンツを不特定者に提示する仕組みとして、表示パネルを備えたデジタルサイネージ装置にデジタルコンテンツを表示させるシステム、いわゆるデジタルサイネージシステムが知られている。
【０００３】
また、近年では、大型のタッチパネルディスプレイに商品のイメージ画像を表示することでデジタルサイネージ装置として機能するとともに、当該商品の販売を行う次世代型の自動販売機が用いられている。このような自動販売機では、利用者は購入を所望する商品のイメージ画像を選択した後、ＩＣ（Integrated  Circuit）カード等を用いて決済を行うことで、商品の引き渡しが行われるよう構成されている。
【発明の概要】
【発明が解決しようとする課題】
【０００４】
ところで、レシピ等の食材を記載した情報を基に利用者が商品を購入する場合がある。この場合、利用者は、レシピに記載された食材に該当する商品を探しながら購入を進めることになる。しかしながら、その手続は煩雑であり、より効率的に購入することが可能な技術が望まれている。
【課題を解決するための手段】
【０００５】
上述した課題を解決するために、実施形態の情報表示装置は、販売対象の商品を表した商品画像を表示部に表示する情報表示装置であって、料理に用いる食材が示されたレシピ情報を外部装置から受信する受信手段と、前記レシピ情報に示された前記食材に対応する商品の前記商品画像を前記表示部に選択可能に表示させる表示制御手段と、前記表示部に表示された前記商品画像の選択を受け付け、選択された前記商品画像の商品を購入対象に設定する設定手段と、を備える。
【図面の簡単な説明】
【０００６】
【図１】図１は、本実施形態に係る商品販売システムの構成を示す図である。
【図２】図２は、商品表示装置の概略構成を示すブロック図である。
【図３】図３は、商品データテーブルのデータ構造の一例を示す図である。
【図４】図４は、端末装置の概略構成を示すブロック図である。
【図５】図５は、レシピデータテーブルのデータ構想の一例を示す図である。
【図６】図６は、商品表示装置及び端末装置の機能構成を示すブロック図である。
【図７】図７は、商品選択画面の一例を示す図である。
【図８】図８は、レシピ一覧画面の一例を示す図である。
【図９】図９は、レシピ分量画面の一例を示す図である。
【図１０】図１０は、レシピ食材画面の一例を示す図である。
【図１１】図１１は、推薦食材画面の一例を示す図である。
【図１２】図１２は、商品選択時の表示効果の一例を示す図である。
【図１３】図１３は、商品表示装置が実行する処理の手順を示すフローチャートである。
【発明を実施するための形態】
【０００７】
以下、添付図面を参照して、情報表示装置、端末装置、情報表示システム及びプログラムの実施形態を詳細に説明する。なお、以下に説明する実施形態は、情報表示装置、端末装置、情報表示システム及びプログラムの一実施形態であって、その構成や仕様等を限定するものではない。
【０００８】
図１は、本実施形態に係る商品販売システム１の構成を示す図である。同図に示すように、商品販売システム１は、商品表示装置１０と、端末装置２０とを備えている。
【０００９】
商品表示装置１０は、各種商品の販売や宣伝を行うサイネージ端末等の情報処理装置である。この商品表示装置１０は、例えば、駅構内や、通路、スーパーやコンビニ等の店舗の店頭・店舗内等に設置される。
【００１０】
商品表示装置１０は、タッチパネルディスプレイ１１及びプリンタユニット１２と、これらタッチパネルディスプレイ１１及びプリンタユニット１２を保持する筐体部１３と、を備えている。タッチパネルディスプレイ１１は、液晶パネル等の表示装置とタッチパッド等の位置入力装置とを有して構成される。プリンタユニット１２は、取引の完了時等に伝票等を印刷して発行する。また、筐体部１３には、ＢＧＭや広告音声等の各種音響出力を行うスピーカユニット１４が設けられている。
【００１１】
図２は、商品表示装置１０の概略構成を示すブロック図である。同図に示すように、商品表示装置１０は、上述したタッチパネルディスプレイ１１、プリンタユニット１２及びスピーカユニット１４の他、コントローラ１０１と、第１通信インタフェース１０２と、第２通信インタフェース１０３と、記憶装置１０４と、を備えている。
【００１２】
コントローラ１０１は、商品表示装置１０全体を制御する。コントローラ１０１は、ＭＰＵ（Micro  Processing  Unit）１０５と、ＲＯＭ（Read  Only  Memory）１０６と、ＲＡＭ（Random  Access  Memory）１０７と、を備えている。ここで、ＲＯＭ１０６は、ＭＰＵ１０５が実行するためのプログラム等を格納する。また、ＲＡＭ１０７は、ＭＰＵ１０５のワークエリアとして機能する。そして、コントローラ１０１は、ＭＰＵ１０５がＲＯＭ１０６や記憶装置１０４に格納されたプログラムを実行することにより、後述する各機能部を実現させる。
【００１３】
第１通信インタフェース１０２は、ＮＦＣやＢｌｕｅｔｏｏｔｈ（登録商標）等の近距離無線用の通信インタフェースである。第１通信インタフェース１０２は、例えば、タッチパネルディスプレイ１１の右端部等、利用者の手が届く位置に内蔵される。第１通信インタフェース１０２は、自装置に近接した端末装置２０（後述する第１通信インタフェース２０２）との間で通信を確立し、各種のデータを送受信する。なお、本実施形態では、商品表示装置１０のタッチパネルディスプレイ１１はポインティングデバイスとして機能する。より詳細には、コントローラ１０１は、タッチパネルディスプレイ１１上での接触位置に基づき、この接触位置に表示されたコンテンツ（商品画像等）に対する操作を可能にしている。
【００１４】
第２通信インタフェース１０３は、インターネット等のネットワークに有線又は無線で接続可能な通信インタフェースである。第２通信インタフェース１０３は、ネットワークに接続された図示しない外部装置との間で通信を確立し、各種のデータを送受信する。
【００１５】
記憶装置１０４は、ＨＤＤ（Hard  Disk  Drive）やＳＳＤ（Solid  State  Drive）等のリード／ライト可能な不揮発性の記憶媒体を有する。記憶装置１０４は、ＭＰＵ１０５が実行するためのプログラム等を記憶する。また、記憶装置１０４は、タッチパネルディスプレイ１１への表示に係る各種のコンテンツ等を記憶する。例えば、記憶装置１０４は、商品データテーブル１０４Ａを記憶する。
【００１６】
図３は、商品データテーブル１０４Ａのデータ構造の一例を示す図である。同図に示すように、商品データテーブル１０４Ａは、所定の基準で区分けした商品カテゴリ（例えば、肉、野菜等）毎に、その商品カテゴリに所属する各商品の商品ＩＤを関連付けて格納している。ここで、商品ＩＤは各商品を識別するための識別情報（識別コード）である。
【００１７】
また、商品データテーブル１０４Ａは、商品ＩＤ毎に、対応する商品に関するコンテンツ（以下、商品コンテンツという）を関連付けて格納している。商品コンテンツは、例えば、その商品の商品名や価格等の商品情報の他、当該商品を表した画像データ（以下、商品画像という）等を含む。
【００１８】
端末装置２０は、タッチパネルディスプレイ２１と、このタッチパネルディスプレイ２１を保持する筐体部２２と、を備えている。タッチパネルディスプレイ２１は、液晶パネル等の表示装置とタッチパッド等の位置入力装置とを有して構成される。
【００１９】
図４は、端末装置２０の概略構成を示すブロック図である。同図に示すように、端末装置２０は、上述したタッチパネルディスプレイ２１の他、コントローラ２０１と、第１通信インタフェース２０２と、第２通信インタフェース２０３と、記憶装置２０４と、を備えている。
【００２０】
コントローラ２０１は、ＭＰＵ２０５と、ＲＯＭ２０６と、ＲＡＭ２０７と、を備えている。ここで、ＲＯＭ２０６は、ＭＰＵ２０５が実行するためのプログラム等を格納する。また、ＲＡＭ２０７は、ＭＰＵ２０５のワークエリアとして機能する。そして、コントローラ２０１は、ＭＰＵ２０５がＲＯＭ２０６や記憶装置２０４に格納されたプログラムを実行することにより、後述する各機能部を実現させる。
【００２１】
第１通信インタフェース２０２は、近距離無線用の通信インタフェースである。第１通信インタフェース２０２は、自装置に近接した商品表示装置１０（第１通信インタフェース１０２）との間で通信を確立し、各種のデータを送受信する。
【００２２】
第２通信インタフェース２０３は、インターネット等のネットワークに有線又は無線で接続可能な通信インタフェースである。第２通信インタフェース２０３は、ネットワークに接続された図示しない外部装置との間で通信を確立し、各種のデータを送受信する。
【００２３】
記憶装置２０４は、ＨＤＤやＳＳＤ等のリード／ライト可能な不揮発性の記憶媒体を有する。記憶装置２０４は、ＭＰＵ１０５が実行するためのプログラム等を記憶する。また、記憶装置２０４は、商品表示装置１０との連携動作に係る各種のプログラムやデータと、レシピデータテーブル２０４Ａと、を記憶する。
【００２４】
図５は、レシピデータテーブル２０４Ａのデータ構想の一例を示す図である。同図に示すように、レシピデータテーブル２０４Ａは、レシピＩＤと、料理名と、調理方法と、食材と、分量等とを関連付けて格納している。以下、レシピデータテーブル２０４Ａに格納された一の料理名に関する各種の情報をレシピ情報という。
【００２５】
本実施形態の商品販売システム１では、商品表示装置１０と端末装置２０とが連携して動作することで、レシピデータテーブル２０４Ａに格納された料理の食材を購入可能に提供する。
【００２６】
次に、本実施形態の商品表示装置１０及び端末装置２０が有する特徴的な機能について説明する。図６は、商品表示装置１０及び端末装置２０の機能構成を示すブロック図である。
【００２７】
商品表示装置１０のコントローラ１０１は、ＲＯＭ１０６や記憶装置１０４に記憶されたプログラムに従ってＭＰＵ１０５を動作させることで、図６に示すように、第１表示制御部１１１と、第１連携処理部１１２と、を実現させる。
【００２８】
第１表示制御部１１１は、タッチパネルディスプレイ１１に対する表示出力を制御する。例えば、第１表示制御部１１１は、記憶装置１０４に記憶された商品コンテンツに基づき、商品の選択画面（以下、商品選択画面という）をタッチパネルディスプレイ１１に表示させる。そして、第１表示制御部１１１は、商品選択画面上に、端末装置２０に記憶されているレシピデータテーブル２０４Ａの読み込みを開始する画面（以下、レシピ読取画面Ｇ２０という（図７参照））をタッチパネルディスプレイ１１に表示させる。
【００２９】
ここで、図７は、商品選択画面の一例を示す図である。同図に示すように、商品選択画面Ｇ１は、第１領域Ａ１と、第２領域Ａ２と、レシピ読取画面Ｇ２０と、を有する。第１表示制御部１１１は、商品データテーブル１０４Ａに登録された商品カテゴリに基づき、各商品カテゴリに対応する選択項目Ｇ１１を第１領域Ａ１に表示する。第１領域Ａ１では、第１領域Ａ１の左右に表示された矢印Ｇ１２、Ｇ１３の操作により、表示の対象となる一の商品カテゴリを選択することが可能となっている。なお、第１領域Ａ１内に収まらない選択項目Ｇ１１については、矢印Ｇ１２又は矢印Ｇ１３の操作によりスクロール表示されるものとする。
【００３０】
利用者は、レシピデータテーブル２０４Ａに格納されたレシピ情報を基に買い物をする場合に、タッチパネルディスプレイ１１に端末装置２０でタッチする。なお、レシピを使用しない場合には、利用者は、端末装置２０でタッチせずに商品を選ぶ操作を行う。
【００３１】
レシピ読取画面Ｇ２０が選択されると、第１表示制御部１１１は、後述する第１連携処理部１１２の機能により端末装置２０から読み取ったレシピデータを基に、図８に示すような食材の一覧画面（以下、レシピ一覧画面Ｇ２１という）を表示させる。図８は、レシピ一覧画面の一例を示す図である。図８では、肉じゃが、回鍋肉、ポトフ、カレー等の食材名がレシピ一覧画面Ｇ２１に表示されている。利用者は、レシピ一覧画面Ｇ２１からレシピ名称Ｇ２１Ａを選択することで、作成したい料理名を選択することができる。
【００３２】
利用者がレシピ名称Ｇ２１Ａを選択すると、第１表示制御部１１１は、図９に示すようにレシピで作成する分量を質問する画面（以下、レシピ分量画面Ｇ２２という）を表示させる。図９は、レシピ分量画面の一例を示す図である。レシピ分量画面Ｇ２２に所望の人数（対象人数）を入力することにより、第１表示制御部１１１は、必要な分量を表示させる。
【００３３】
レシピ分量画面Ｇ２２に所望の人数が入力されると、第１表示制御部１１１は、対応する料理名のレシピ情報を基に、図１０に示すように必要な食材を表示した画面（以下、レシピ食材画面Ｇ２３という）を表示させる。図１０は、レシピ食材画面の一例を示す図であり、４人分のカレーを作成するために必要な食材を、レシピ食材画面Ｇ２３に表示した例を示している。
【００３４】
レシピ食材画面Ｇ２３には、食材名称Ｇ２３Ａと、完了ボタンＧ２３Ｂが含まれる。利用者から何れかの食材名称Ｇ２３Ａが選択されると、第１表示制御部１１１は、選択された食材名称Ｇ２３Ａの商品（食材）に関する商品選択画面を表示させる。また、利用者から完了ボタンＧ２３Ｂが選択すると、第１表示制御部１１１は、レシピ食材画面Ｇ２３を消し食材の選択を終了する。なお、全ての食材を選択していない状態であっても完了ボタンＧ２３Ｂが選択されると、第１表示制御部１１１は、食材の選択を終了し、レシピ食材画面Ｇ２３を消去する。これにより利用者は、所望の料理に作成に必要な食材（商品）を効率的に購入することができる。
【００３５】
なお、食材ごとに商品候補が複数ある場合には、これら複数の商品候補を商品選択画面が表示する。これにより、利用者が所望する商品（食材）を選択することができる。その際に、第１表示制御部１１１は、例えば、候補となっている商品に対して、図１１に示すように推薦する食材であることを示す画面（以下、推薦食材画面Ｇ２４という）を表示してもよい。ここで、図１１は、推薦食材画面Ｇ２４の一例を示す図である。これにより、利用者は、料理に適した食材を選択できるとともに、好みの食材（商品）を選択することができる。また、第１表示制御部１１１は、食材一覧画面にもどるボタンＧ２５を表示する。食材一覧画面にもどるボタンＧ２５を選択すると、第１表示制御部１１１は、レシピ食材画面Ｇ２３を表示する。
【００３６】
第１領域Ａ１において表示対象の商品カテゴリが選択されると、第１表示制御部１１１は、この商品カテゴリに所属する商品に関する情報を第２領域Ａ２に表示する。より詳細には、第１表示制御部１１１は、表示対象の商品カテゴリに関連付けられた各商品ＩＤの商品コンテンツを、商品データテーブル１０４Ａから読み出す。そして、読み出した商品コンテンツに含まれる商品画像及び商品情報に応じた画像を、商品毎に配列して表示する。
【００３７】
図１１では、商品カテゴリ「肉」を表す選択項目Ｇ１１が選択された例を示している。この場合、第１表示制御部１１１は、商品カテゴリ「肉」に所属する各商品に関する情報を、第２領域Ａ２に表示する。
【００３８】
例えば、第１表示制御部１１１は、第２領域Ａ２内において、商品棚を模した背景画像Ｇ１４上に、第１領域Ａ１で選択された商品カテゴリに所属する各商品の商品画像Ｇ１５と、その商品情報を示したラベルＧ１６とを対応付けて表示する。ここで、第２領域Ａ２内における、各商品（商品画像Ｇ１５及びラベルＧ１６）の配置は、例えばレイアウト情報に基づいて行うものする。
【００３９】
また、第２領域Ａ２の左右に表示された矢印Ｇ１７、Ｇ１８の操作は、その矢印方向に画面スクロールすることを指示するための操作子である。第１表示制御部１１１は、この矢印Ｇ１７又は矢印Ｇ１８の操作を受け付けると、その矢印方向へ画面（背景画像Ｇ１４、商品画像Ｇ１５及びラベルＧ１６）をスクロールさせる。これにより、第１表示制御部１１１は、第２領域Ａ２内に収まらなかった商品画像Ｇ１５及びラベルＧ１６を表示させる。
【００４０】
また、第１表示制御部１１１は、商品選択画面に、動物等を模したキャラクター画像Ｇ１９を表示する。キャラクター画像Ｇ１９は、例えば「商品をタッチしてね」等のメッセージを表示することで、商品選択画面での操作方法等を利用者に提示する。
【００４１】
第１表示制御部１１１は、第２領域Ａ２に表示した何れかの商品（商品画像Ｇ１５又はラベルＧ１６）に対しタッチ操作が行われると、この商品の商品画像Ｇ１５に所定の表示効果を施す。例えば、選択された商品画像Ｇ１５を一時的に消去する。また、図１２の破線分Ａ３に示すように、選択された商品画像Ｇ１５を商品棚（背景画像Ｇ１４）から取り出すようなアニメーション効果を一時的に施す。ここで、図１２は、商品選択時の表示効果の一例を示す図である。このように、第１表示制御部１１１は、選択された商品の商品画像Ｇ１５に所定の表示効果を施すことで、その商品の選択を受け付けたことを利用者に明示する。その際、選択された商品画像Ｇ１５の商品は、コントローラ１０１によって購入対象の商品であると設定される。
【００４２】
図６に戻り、第１連携処理部１１２は、第１通信インタフェース１０２を介して端末装置２０と交信することで、端末装置２０と連携動作する。
【００４３】
具体的に、第１連携処理部１１２は、端末装置２０との通信が確立すると、端末装置２０からレシピデータテーブル２０４Ａを取得する。ここで、レシピデータテーブル２０４Ａには、例えば、レシピＩＤと、料理名と、調理方法と、食材と、分量等が含まれる。
【００４４】
なお、本実施形態では、レシピを構成する食材に商品候補が複数ある場合に、図１１に示す商品選択画面を表示させる例を説明したが、これに限らない。例えば、カテゴリごとに表示する商品を分けた商品表示装置１０を有している店舗の場合には、該当する商品表示装置１０への移動を促す画面を表示させてもよい。これにより、実店舗での商品購入に近い操作性を利用者に提供することができるため、商品の選択に係る利用者の利便性を向上させることができる。
【００４５】
第２表示制御部２１１は、タッチパネルディスプレイ２１に対する表示出力を制御する。例えば、第２表示制御部２１１は、第２連携処理部２１２と協働することで、商品表示装置１０に表示された、必要な食材を表示したレシピ食材画面Ｇ２３等を、タッチパネルディスプレイ２１に表示する。
【００４６】
第２連携処理部２１２は、第１通信インタフェース２０２を介して商品表示装置１０と交信することで、商品表示装置１０と連携動作する。
【００４７】
具体的に、第２連携処理部２１２は、商品表示装置１０との通信が確立すると、レシピデータテーブル２０４Ａを商品表示装置１０に送信する。ここで、記憶装置２０４にレシピデータテーブル２０４Ａが予め記憶されている場合には、この利用者データを商品表示装置１０に送信する形態としてもよい。また、タッチパネルディスプレイ２１等を介してレシピデータテーブル２０４Ａが入力される形態としてもよい。
【００４８】
次に、図１３を参照して、商品表示装置１０の動作について説明する。ここで、図１３は、商品表示装置１０が実行するレシピ情報読み取り時の処理の手順を示すフローチャートである。
【００４９】
表示制御手段である第１表示制御部１１１は、タッチパネルディスプレイ１１にレシピ読取画面Ｇ２０を表示し、端末装置２０でのタッチを求める（ステップＳ１）。利用者が端末装置２０でのタッチを行わず食材選択を開始した場合に（ステップＳ１；Ｎｏ）、第１表示制御部１１１は、ステップＳ８に処理を移行する。利用者が端末装置２０でのタッチを行った場合に（ステップＳ１；Ｙｅｓ）、受信手段である第１連携処理部１１２は、端末装置２０からレシピデータテーブル２０４Ａを受信（取得）する（ステップＳ２）。
【００５０】
次いで、第１表示制御部１１１は、受信したレシピデータテーブル２０４Ａを基に、レシピ一覧画面Ｇ２１を表示させる（ステップＳ３）。そして、レシピ一覧画面Ｇ２１から利用者がレシピ名称Ｇ２１Ａを選択した場合に、第１表示制御部１１１は、レシピ分量画面Ｇ２２を表示させる（ステップＳ４）。そして、レシピ一覧画面Ｇ２１とレシピ分量画面Ｇ２２の操作を基に、第１表示制御部１１１は、レシピ食材画面Ｇ２３を表示して選択されたレシピ名称Ｇ２１Ａと分量に応じた食材を提示する（ステップＳ５）。
【００５１】
ステップＳ６において、第１表示制御部１１１は、完了ボタンＧ２３Ｂが選択されるか否かを判定する（ステップＳ６）。完了ボタンＧ２３Ｂが選択された場合に（ステップＳ６；Ｙｅｓ）、第１表示制御部１１１は、ステップＳ１２に移行させる。完了ボタンＧ２３Ｂが選択されない場合に（ステップＳ６；Ｎｏ）、第１表示制御部１１１は、ステップＳ７に移行させる。
【００５２】
次いで、ステップＳ７において、第１表示制御部１１１は、食材名称Ｇ２３Ａが選択されるか否かを判定する（ステップＳ７）。食材名称Ｇ２３Ａが選択されない場合に（ステップＳ７；Ｎｏ）、第１表示制御部１１１は、ステップＳ５に移行させる。食材名称Ｇ２３Ａが選択された場合に（ステップＳ７；Ｙｅｓ）、第１表示制御部１１１は、ステップＳ８に移行させて商品選択画面を表示させる（ステップＳ８）。
【００５３】
ステップＳ９にて食材一覧画面にもどるボタンＧ２５が選択されるか否かを判定する（ステップＳ９）。食材一覧画面にもどるボタンＧ２５が選択された場合に（ステップＳ９；Ｙｅｓ）、第１表示制御部１１１は、ステップＳ５に移行してレシピ食材画面Ｇ２３を表示させる。食材一覧画面にもどるボタンＧ２５が選択されない場合に（ステップＳ９；Ｎｏ）に、第１表示制御部１１１は、ステップＳ１０に移行させる。
【００５４】
ステップＳ１０にて商品が選択されるか否かを判定する（ステップＳ１０）。商品が選択されない場合に（ステップＳ１０；Ｎｏ）、第１表示制御部１１１は、ステップＳ９に移行させる。商品が選択された場合に（ステップＳ１０；Ｙｅｓ）、第１表示制御部１１１は、所定の表示効果を施すことで、その商品の選択を受け付けたことを利用者に明示する（ステップＳ１１）。また、設定手段であるコントローラ１０１は、購入対象の商品であると設定する。その後、第１表示制御部１１１は、ステップＳ５に移行させて、レシピ食材画面Ｇ２３より、次の食材を選択させる。
【００５５】
ステップＳ６において完了ボタンＧ２３Ｂが選択されたことにより、第１表示制御部１１１は、購入対象に設定された商品の決済を行う画面（不図示）を表示させる（ステップＳ１２）。そして、第１表示制御部１１１は、端末装置２０に完了通知を送信した旨を表示して（ステップＳ１３）、当該端末装置２０との通信を切断する（ステップＳ１４）。
【００５６】
以上のように、本実施形態によれば、端末装置２０から受信したレシピに基づいて、商品表示装置１０で各種画面（レシピ一覧画面Ｇ２１、レシピ分量画面Ｇ２２、レシピ食材画面Ｇ２３、推薦食材画面Ｇ２４）を表示する。これにより、利用者はレシピ情報に示された食材を効率的に購入することができるため、利用者の利便性を改善することができる。
【００５７】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００５８】
なお、本実施形態では、端末装置２０で商品表示装置１０にタッチすると端末装置２０に記憶されているレシピデータテーブル２０４Ａの読み込みを開始と説明している。しかし、読み込みを開始方法は、これに限らないものとする。例えば、会員カードでタッチする形態としてもよい。この場合には、会員カードでタッチすることにより会員ＩＤを読み取り、会員ＩＤと関連したレシピをレシピ一覧画面Ｇ２１に表示させる形態にすればよい。
【００５９】
または、レシピ読取画面Ｇ２０を手などでタッチした場合に、端末装置２０に記憶されているレシピデータテーブル２０４Ａの読み込みを開始してもよい。
【００６０】
なお、本実施形態では、商品表示装置１０に食材の一覧であるレシピ食材画面Ｇ２３を表示させているが、これに限らないものとする。例えば、レシピ食材画面Ｇ２３は端末装置２０に表示させる形態をしてもよい。この場合に、端末装置２０は、レシピ食材画面Ｇ２３を商品表示装置１０から受信して表示させればよい。
【００６１】
なお、本実施形態では、商品表示装置１０に食材の一覧であるレシピ食材画面Ｇ２３を表示させる際に、商品棚を模した背景画像Ｇ１４上に、第１領域Ａ１で選択された商品カテゴリに所属する各商品の商品画像Ｇ１５と、その商品情報を示したラベルＧ１６とを対応付けて表示している。この時、ラベルＧ１６には、１００ｇあたりの価格を表示している。しかし、商品画像Ｇ１５とラベルＧ１６の表示は、これに限らないものとする。レシピ分量画面Ｇ２２にて分量を入力した以降の、レシピ食材画面Ｇ２３や、推薦食材画面Ｇ２４などにおいては、商品の分量に対応した内容を表示してもよい。例えば、商品の分量に対応した価格を表示することで比較可能としてもよい。
【００６２】
なお、本実施形態では、図１１において、商品表示装置１０に推薦食材画面Ｇ２４を表示することで、利用者は、料理に適した食材を選択できるとともに、好みの食材（商品）を選択することができると説明している。しかし、推薦食材画面Ｇ２４の表示は、これに限らないものとする。例えば、レシピ食材画面Ｇ２３に表示された全ての食材を同一画面内に表示させてもよい。これにより、利用者はレシピ情報に示された食材をより効率的に購入することができるため、利用者の利便性をさらに改善することができる。
【００６３】
なお、上記実施形態の商品表示装置１０の各装置で実行されるプログラムは、ＲＯＭ等の記録媒体に予め組み込まれて提供されるものとするが、これに限らず、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６４】
さらに、上記実施形態の各装置で実行されるプログラムを、インターネット等のネットワークに接続されたコンピュータ上に格納し、ネットワーク経由でダウンロードさせることにより提供するように構成してもよい。また、上記実施形態の各装置で実行されるプログラムを、インターネット等のネットワーク経由で提供または配布するように構成してもよい。
【符号の説明】
【００６５】
１０      商品表示装置
１１      タッチパネルディスプレイ
１０１    コントローラ
１０４    記憶装置
１１１    第１表示制御部
Ｇ２０    レシピ読取画面
Ｇ２１    レシピ一覧画面
Ｇ２２    レシピ分量画面
Ｇ２３    レシピ食材画面
２０４Ａ  レシピデータテーブル
【先行技術文献】
【特許文献】
【００６６】
【特許文献１】特開２０１２−１０８７１３号公報
【図１】
2014206812.tif 000003
【図２】
2014206812.tif 000004
【図３】
2014206812.tif 000005
【図４】
2014206812.tif 000006
【図５】
2014206812.tif 000007
【図６】
2014206812.tif 000008
【図７】
2014206812.tif 000009
【図８】
2014206812.tif 000010
【図９】
2014206812.tif 000011
【図１０】
2014206812.tif 000012
【図１１】
2014206812.tif 000013
【図１２】
2014206812.tif 000014
【図１３】
2014206812.tif 000015